(57)【要約】  この発明概念は液体食品のための容器に取り付けられるための中空体に関し、中空体は第１の片と第２の片とを備えている。第１の片の周囲の少なくとも一部は、中空体を形成するために、第２の片の周囲の少なくとも一部に取り付けられる。更に、容器と中空体とを備える包装容器を作製するための関連する方法が提示される。【選択図】図１
2019508334.tif 000002
【特許請求の範囲】
【請求項１】
液体食品のための容器に取り付けられるための中空体であって、
第１の片と、
第２の片とを備え、
前記第１の片の周囲の少なくとも一部は、前記中空体を形成するために、前記第２の片の周囲の少なくとも一部に取り付けられる、
中空体。
【請求項２】
前記第１の片及び前記第２の片のうちの少なくとも１つは切断部材を備える、請求項１に記載の中空体。
【請求項３】
前記第１の片及び前記第２の片のうちの少なくとも１つは前記切断部材と整列される可撓部分を備える、請求項２に記載の中空体。
【請求項４】
前記第１の片は前記切断部材を備え、前記第２の片は前記可撓部分を備える、請求項３に記載の中空体。
【請求項５】
前記第１の片及び前記第２の片のうちの少なくとも１つは、前記中空体内部の流路が開放された状態を維持することを提供する少なくとも１つの離間要素を備える、請求項１〜４のいずれか一項に記載の中空体。
【請求項６】
第２の部品が第２のセクションから取り外される場合に、前記第２の部品が第１の部品と前記第２の部品との交差部を中心として枢動自在であるように、容器の第１のセクションに固定して取り付けるために配置された前記第１の部品と、前記容器の前記第２のセクションに取外し可能に取り付けるために配置された前記第２の部品とを更に備える、請求項１〜５のいずれか一項に記載の中空体。
【請求項７】
前記第２の部品は、前記第２の部品の端部セクションが汚染されないように、保護要素によって少なくとも部分的に被覆される、請求項６に記載の中空体。
【請求項８】
更に、前記第１の部品と前記第２の部品との間に配置される第３の部品を備える、請求項６又は７に記載の中空体。
【請求項９】
前記第３の部品はひだが付けられる、請求項８に記載の中空体。
【請求項１０】
前記第１の片は、ＰＥＴ、ＰＥ、ＰＰ、及びＰＳからなる群から選択され、又は熱可塑性材料の高分子材料である、第１の材料を備える、請求項１〜９のいずれか一項に記載の中空体。
【請求項１１】
前記第２の片は、ＰＥＴ、ＰＥ、ＰＰ、及びＰＳからなる群から選択され、又は熱可塑性材料の高分子材料である、第２の材料を備える、請求項１〜１０のいずれか一項に記載の中空体。
【請求項１２】
容器と中空体とを備える包装容器を作製するための方法であって、
包装材料を提供し、
前記包装材料内に弱化部分を作成し、
前記容器を形成し、液体食品を充填し、
前記中空体を取り付けすることを含み、前記中空体は、可撓部分が前記容器に向かって押圧される場合に、切断部材が前記弱化部分を介して間接的に押圧され、それによって前記容器内に孔が形成され、前記容器内に保持される液体が前記容器から出て前記孔を通って前記中空体内に移送されることを可能にするように、前記弱化部分に配置される前記切断部材と整列される前記可撓部分を備える、
方法。
【請求項１３】
前記中空体は、更に、第１の片と第２の片とを備え、前記第１の片の周囲の少なくとも一部は、前記中空体を形成するために、前記第２の片の周囲の少なくとも一部に取り付けられる、請求項１２に記載の方法。
【請求項１４】
前記第１の片及び前記第２の片のうちの少なくとも１つは、前記中空体内部の流路が開放された状態を維持することを提供する少なくとも１つの離間要素を備える、請求項１３に記載の方法。
【請求項１５】
前記中空体を取り付ける前記ステップは、更に、前記中空体の第１の部品を前記容器の第１のセクションに固定して取り付けることと、前記中空体の第２の部品を前記容器の第２の部品に取外し可能に取り付けることとを含む、請求項１２〜１４のいずれか一項に記載の方法。
【発明の詳細な説明】
【技術分野】
【０００１】
本発明概念は包装分野に関する。より詳細には、改良された特徴を有する包装容器、並びに関連する方法及び装置が開示されている。
【背景技術】
【０００２】
飲料用の多くの包装容器は、いわゆる部分体積において製造されており、包装容器から直接消費されることを目的としている。これらの包装容器の大多数は、包装容器の１つの側壁上に固定される保護袋内の飲用ストローを有する組立体として提供される。平行六面体又は四面体構成を有していてもよい包装容器は、熱可塑性樹脂及び場合によってはアルミ箔の異なる層を有する紙又は板紙の芯を有する積層体から製造される。包装容器の１つの壁部、ほとんどの場合、上部すなわち頂部壁部には、孔が芯層内に穿孔されており、この孔は積層体の残りの層によって被覆されている。これにより、包装容器に添えられている飲用ストローで孔を貫通させることが可能となり、結果として飲用ストローを包装容器内に封入されている飲料へ直接アクセスすることをもたらしている。
【０００３】
上で説明したような組立体による問題は、戸外で飲料を消費することが難しいことにある。消費前に包装容器の準備が必要であり、幾つかのステップ：包装容器から飲用ストローを封入している保護袋を外すことであって、その後、飲用ストローを取り出すよう、保護袋が開封されること；飲用ストローを包装容器に挿入すること；飲用ストローの端部部分を調節して飲料を飲もうと思っているユーザの口へ飲用ストローを向けることを含む。加えて、上記のステップのうちの幾つかは２本の手を必要とし、代替として、幾つかのステップにおいて、消費者は消費者の歯と組み合わせて１本の手を用いてもよい。更に、消費者からの汚染物質が包装容器に侵入する危険がある。更に、飲用ストローの挿入は、時として、内容物が包装容器からこぼれる原因となる大きな力を必要とする。更に、保護袋はユーザによって廃棄される必要がある。
【０００４】
別の問題は、飲用ストローが生産又は輸送中に包装容器から分離する恐れがあり、従って、封入される飲料を含む包装容器が廃棄される羽目に陥ることである。更に悪いことに、飲用ストローを紛失している問題は、消費者が包装容器を開封することを意図するまで発見されない可能性がある。
【発明の概要】
【発明が解決しようとする課題】
【０００５】
本発明概念の目的は、上で確認した当該技術における不備及び欠点のうちの１つ以上を単独又は組み合わせて緩和、軽減、又は解消することにある。
【課題を解決するための手段】
【０００６】
発明概念の第１の態様によれば、これら及び他の目的は、液体食品のための容器に取り付けられるための中空体によって完全に又は少なくとも部分的に達成される。中空体は、第１の片と第２の片とを備え、第１の片の周囲の少なくとも一部は、中空体を形成するために、第２の片の周囲の少なくとも一部に取り付けられる。
【０００７】
第１の片及び第２の片のうちの少なくとも１つは切断部材を備えていてもよい。
【０００８】
第１の片及び第２の片のうちの少なくとも１つは切断部材と整列される可撓部分を備えていてもよい。
【０００９】
第１の片は切断部材を備えていてもよく、第２の片は可撓部分を備えていてもよい。
【００１０】
第１の片及び第２の片のうちの少なくとも１つは、中空体内部の流路が開放された状態を維持することを提供する少なくとも１つの離間要素を備えていてもよい。
【００１１】
中空体は、第２の部品が第２のセクションから取り外される場合に、第２の部品が第１の部品と第２の部品との交差部を中心として枢動自在であるように、容器の第１のセクションに固定して取り付けるために配置された第１の部品と、容器の第２のセクションに取外し可能に取り付けるために配置された第２の部品とを更に備えていてもよい。
【００１２】
第２の部品は、第２の部品の端部セクションが汚染されないよう防止されるように、保護要素によって少なくとも部分的に被覆されてもよい。
【００１３】
中空体は、更に、第１の部品と第２の部品との間に配置される第３の部品を備えていてもよい。
【００１４】
第３の部品はひだが付けられてもよい。
【００１５】
第１の片は、ＰＥＴ、ＰＥ、ＰＰ、及びＰＳからなる群から選択され、熱可塑性材料の高分子材料である、第１の材料を備えていてもよい。
【００１６】
第２の片は、ＰＥＴ、ＰＥ、ＰＰ、及びＰＳからなる群から選択され、熱可塑性材料の高分子材料である、第２の材料を備えていてもよい。
【００１７】
発明概念の第２の態様によれば、これら及び他の目的は、容器と中空体とを備える包装容器を作製するための方法によって完全に又は少なくとも部分的に達成される。方法は、包装材料を作製すること、包装材料内に弱化部分を作成すること、容器を形成し、液体食品を充填すること、中空体を取り付けることを含み、中空体は、可撓部分が容器に向かって押圧される場合に、切断部材が弱化部分を介して間接的に押圧され、それによって容器内に孔が形成され、容器内に保持される液体が容器から出て前記孔を通って前記中空体内に移送されることを可能にするように、弱化部分に配置される切断部材と整列される可撓部分を備える。
【００１８】
中空体は、更に、第１の片と第２の片とを備えていてもよく、第１の片の周囲の少なくとも一部は、中空体を形成するために、第２の片の周囲の少なくとも一部に取り付けられる。
【００１９】
第１の片及び第２の片のうちの少なくとも１つは、中空体内部の流路が開放された状態を維持することを提供する少なくとも１つの離間要素を備えていてもよい。
【００２０】
中空体を取り付けるステップは、更に、中空体の第１の部品を容器の第１のセクションに固定して取り付けることと、中空体の第２の部品を容器の第２の部品に取外し可能に取り付けることとを含んでいてもよい。
【００２１】
本発明の他の目的、特徴、及び利点は以下の詳細な開示から、添付の特許請求の範囲から、並びに、図面から明らかである。
【００２２】
一般に、特許請求の範囲において用いられる全ての用語は、特に本明細書中で明示的に定義されない限り、技術分野におけるそれらの通常の意味に従って解釈されるべきである。「１つの／その（ａ／ａｎ／ｔｈｅ）［要素、装置、コンポーネント、手段、ステップ、等］」に対する全ての参照は、特に明記されない限り、前記要素、装置、コンポーネント、手段、ステップ、等の少なくとも１つの例に対して参照することとしてオープンに解釈されるべきである。本明細書中に開示する任意の方法のステップは、特に明記されない限り、開示する正確な順序で実行される必要はない。
【００２３】
本発明／発明概念の上の、並びに、追加の目的、特徴、及び利点は、添付図面を参照して、本発明／発明概念の異なる実施形態の以下の図面及び非制限的な詳細な説明を通じて良好に理解されるであろう。
【図面の簡単な説明】
【００２４】
【図１】容器と飲用装置とを備える包装容器を示す。
【図２】飲用装置を覆う保護要素の部分断面図を示す。
【図３ａ−３ｃ】容器と飲用装置とを備える包装容器の開封プロセスを示す。
【図４】中空体の分解図を示す。
【図５】中空体の断面図を示す。
【図６】容器の弱化部分の断面図を示す。
【図７】容器の弱化部分の部分断面図を示す。
【図８】包装材料のリールを示す。
【図９ａ−９ｃ】容器を介して押圧される切断部材の３つの段階を示す。
【図１０】中空体の代替の実施形態の分解図を示す。
【図１１ａ−１１ｄ】容器の弱化部分の異なる形状を示す。
【図１２】中空体の第１の片の平面図を示す。
【発明を実施するための形態】
【００２５】
図１は、容器１０２と飲用装置とを備える包装容器１００を示している。容器１０２はカートンベースの容器であってもよい。容器１０２は初期状態の形状を有していてもよい。容器１０２は外圧と内圧との間の差の結果としてその形状を変化させるよう設計されてもよい。外圧は地球の大気の重さによって作用される圧力、及び／又は容器１０２を把持する消費者の手の力によって作用される圧力であってもよい。内圧は容器１０２の内部空間における圧力として定義される。容器１０２はその初期状態形状に戻るように努めてもよい。容器１０２は、外圧と内圧との間の差に起因する容器１０２の形状の変化が制御できるように折り目を備えていてもよい。ここで、飲用装置は、容器１０２の第１のセクション１１０に固定して取り付けられる第１の部品１０６と、容器１０２の第２のセクション１１２に取外し可能に取り付けられる第２の部品１０８とを備え、第２の部品１０８が第２のセクション１１２から取り外される場合に、第２の部品が第１の部品１０６と第２の部品１０８の間にある交差部１１４を中心として枢動自在であるような中空体１０４として説明することができる。第１の部品１０６は、堅固であり、容易に動かせないように固定して取り付けられることは言うまでもない。第１の部品の第１の副領域が第１のセクションに接着されてもよい。第２の部品の第２の副領域が第２のセクションに接着されてもよい。第１の部品が第１のセクションに固定して取り付けられ、第２の部品が第２のセクションに取外し可能に取り付けられるように、第１の副領域は第２の副領域より大きくてもよい。第１のセクション１１０は容器１０２の側壁上に位置してもよい。第２のセクション１１２は容器１０２の任意の面上に位置してもよい。中空体１０４は第１の片と第２の片とを備えていてもよく、ここで第１の片の周囲の少なくとも一部は、中空体を形成するために、第２の片の周囲の少なくとも一部に取り付けられて、取付部１１４を形成している。取付部は所定の平面で動かされる第２の部品を制限してもよい。所定の平面は中空体の長手方向軸と整列されてもよい。中空体１０２の横断面は、中空体１０２の第２の部品１０８が交差点１１４を中心として、そして、半楕円の長軸の周りを枢動自在であるよう制限されるように、半楕円形であってもよい。第１の部品１０６は第１の短軸と第１の長軸とを備える半楕円形の第１の横断面を備えていてもよく、ここで第１の長軸は容器１０２の第１のセクション１１０に略沿って延在してもよい。第２の部品１０８は第２の短軸と第２の長軸とを備える半楕円形の第２の横断面を備えていてもよく、ここで第２の長軸は容器１０２の第２のセクション１１２に略沿って延在してもよい。中空体１０２は第１の部品１０６と第２の部品１０８との間に配置される第３の部品１０９を備えていてもよい。第３の部品１０９はひだが付けられてもよい（Ｃｒｉｍｐｅｄ）。第３の部品１０９は、容器１０２から外側に延在する第３の短軸を備える半楕円形の第３の横断面を備えていてもよく、ここで第３の短軸は第１及び第２の短軸よりも短くてもよい。第３の短軸は第１及び第２の短軸と比較して長さが等しくてもよい。
【００２６】
図２は、図１に示したものと同様の包装容器を示しており、第２の部品２０８の端部セクションが汚染されないように、保護要素２１８が中空体の第２の部品２０８を覆ってもよい。保護要素２１８は容器２０２に取り付けられてもよい。第２の部品２０８は、保護要素２１８によって容器２０２の第２のセクション２１２に間接的に取り付けられるか、及び／又は、グルー等の接着剤によって第２のセクション２１２に直接固定される。保護要素２１８は第２の部品２０８からの取外しを容易にするよう穿孔されていてもよい。第２の部品２０８からの取外し後、保護要素２１８は容器２０２によって保持されてもよい。
【００２７】
ここで図３ａ〜３ｃを参照すると、包装容器は飲用のために、切断部材が容器の弱化部分を介して間接的に押圧され、容器内に保持される液体が中空体３０４を通って容器から外部に移送され得るように、保護要素（図示せず）を取り外し、容器の第２のセクション３１２に取外し可能に取り付けられる中空体３０４の第２の部品３０８を取り外し、及び、中空体３０４の第１の片及び第２の片のうちの少なくとも１つの可撓部分３２０を押圧してもよい。切断部材を間接的に押圧することによって、汚染物質が容器に侵入することを防いでもよい。
【００２８】
ここで図４を参照すると、中空体は第１の片４２２と第２の片４２４とを備えていてもよく、ここで第１の片４２２の周囲の少なくとも一部は、中空体を形成するために、第２の片４２４の周囲の少なくとも一部に取り付けられて、取付部を形成している。第１の片４２２は、第１の片４２２と容器の第１のセクション及び／又は第２のセクションとの間の接触面積が最大化され、それによって容器の第１のセクション及び／又は第２のセクションへの第１の部品の取付を容易にすることを提供するよう平底を備えていてもよい。第１の片４２２及び第２の片４２４のうちの少なくとも１つは、中空体内部の流路が開かれることを提供する少なくとも１つの離間要素４２６を備えていてもよい。少なくとも１つの離間要素４２６は中空体の長手方向軸に沿って延在してもよい。第１の片４２２及び第２の片４２４のうちの少なくとも１つは襞付部分４２８を備えていてもよい。第１の片４２２及び第２の片４２４のうちの少なくとも１つは、孔が切断部材４３０により容器内に作成され得るように、容器の弱化部分に配置される切断部材４３０を備えていてもよい。第１の片４２２及び第２の片４２４のうちの少なくとも１つは、可撓部分４２０が容器に向かって押圧される場合に、切断部材４３０が弱化部分を介して間接的に押圧されるように、切断部材４３０と整列される可撓部分４２０を備えていてもよい。この図においては、第１の片４２２は切断部材４３０を備え、第２の片４２４は可撓部分４２０を備えている。可撓部分４２０が容器に向かって押圧される場合に、切断部材４３０が弱化部分を介して間接的に押圧されるように、可撓部分４２０が切断部材４３０と整列されていれば、第１の片４２２及び第２の片４２４のうちのいずれか１つが可撓部分４２０及び／又は切断部材４３０を備えていてもよいことは言うまでもない。切断部材４３０は第１の片４２２及び第２の片４２４から分離されてもよい。弱化部分は、容器内に保持される液体が中空体を通って容器から外部に移送され得るように、容器側面の一部並びに第１の片４２２及び第２の片４２４のうちの少なくとも１つによって囲まれてもよい。液体が中空体を通って分配されるにつれて、通気が容器内に流れ込むことを防止するように、そして、圧力差が流体出口及び容器の内部空間にわたって印加される場合に、中空体を通る流体の流れが始まるように、第１の片４２２及び第２の片４２４のうちの少なくとも１つは弱化部分の周囲を密封するよう配置されてもよい。密封する結果として、消費者が消費者の口から中空体を離すとすぐに、中空体内の液体が強制的に容器に戻されてもよいように、僅かに大気よりも低い圧力が中空体を介して容器から飲んでいる間に容器内部に生じてもよい。ユーザはユーザの口を流体出口から離して、容器内部の任意の圧力差を解消できるように空気が中空体を介して容器内に入ることを可能にしてもよい。容器を傾けること又は逆さにすることは、液体の重さによって印加される圧力の結果として容器に保持される液体が中空体を通って流れ始める原因となる可能性がある。液体の重さによって印加される圧力の結果として中空体を通って流れる液体は、大気よりも低い十分な圧力が容器内部に生じる可能性があるように、液体の重さによって印加される圧力が勝る可能性があるように、液体が中空体を通って流れることを止める可能性があるように、中空体の適切な長さを選択することによって中空体の流体出口に達しないよう防止されてもよい。
【００２９】
引き続き図４を参照すると、容器は延性があってもよく、及び／又は、容器内部の実質的に大気よりも低い任意の圧力が容器の本体壁部を一時的に曲げる傾向があるため、可撓性材料及び／又は特に薄い壁厚を備えていてもよい。第１の片４２２は第１の材料を備えていてもよく、ここで第１の材料は、例えば、ポリエチレンテレフタレート（ＰＥＴ）、ポリプロピレン（ＰＰ）、ポリエチレン（ＰＥ）、及びポリスチレン（ＰＳ）からなる群から選択される、例えば、熱可塑性材料の高分子材料である。第２の片４２４は第２の材料を備えていてもよく、ここで第２の材料は、ＰＥＴ、ＰＰ、ＰＥ、及びＰＳからなる群から選択される、例えば、熱可塑性材料の高分子材料である。第１の片４２２は第２の片４２４よりも硬質及び／又は剛性があってもよい。第１の片４２２及び／又は第２の片４２４は透明であってもよい。第１の片４２２及び／又は第２の片４２４は色付きで提供されてもよい。第１の片４２２及び／又は第２の片４２４の透明度及び／又は色は、中空体の液面が目視検査によって判断できるように、液体と中空体との間の十分に高いコントラストが得られるように選択されてもよい。第１の片及び／又は第２の片に異なる色を提供すること、及び／又は、第１の片及び第２の片のうちの少なくとも１つを透明にすることにより、一般的な包装容器と比較して、パッケージのカスタマイズ化のレベルを高めることができる。
【００３０】
図示しない代替の実施形態において、中空体は第１の片及び第２の片を備えていてもよく、ここで、第１の片は容器の弱化部分を介して切断部材を間接的に押圧するための切断部材及び可撓部分を備え、第２の片は伸長管を備える。第１の片の周囲の少なくとも一部は、中空体を形成するために、第２の片の周囲の少なくとも一部に取り付けられてもよい。
【００３１】
ここで図５を参照すると、中空体は第１の片５２２及び第２の片５２４を備えていてもよい。第１の片５２２及び第２の片５２４のうちの少なくとも１つは少なくとも１つの離間要素５２６を備えていてもよい。少なくとも１つの離間要素５２６は第１の片５２２及び第２の片５２４のうちの少なくとも１つと接触していてもよい。少なくとも１つの離間要素５２６は、中空体内部の流路が開かれるように任意の幾何学的形状、例えば、半楕円形、三角形、矩形、円形、円筒形であってもよい。
【００３２】
ここで図６を参照すると、カートンベースの容器は、一般に、幾つかの層：外側コーティング６３２、板紙層６３４、ラミネーション層６３６、アルミニウム層６３８、第１の内面コーティング６４０、及び第２の内面コーティング６４０、を備えている。ここで、容器の弱化部分６４４は板紙層６３４及びラミネーション層６３６を通る切れ目によって作成されている。弱化部分６４４はレーザ切断によって設けられてもよい。
【００３３】
ここで図７を参照すると、弱化部分７４４は容器の任意の側面上に位置してもよい。弱化部分７４４は容器の前部セクション、底部セクション、又は側面セクション上に位置してもよい。弱化部分７４４は容器の壁部を形成する幾つかの層のうちの少なくとも１つの少なくとも１つの切れ目を備えていてもよい。弱化部分７４４は容器の壁部を形成する幾つかの層のうちの少なくとも１つの幾つかの切れ目を備えていてもよく、ここで幾つかの切れ目は重なっていてもよい。弱化部分７４４は、容器が直立位置にある場合に容器の下半分に位置してもよい。弱化部分７４４は、容器が直立位置にある場合に満杯の容器の液面が弱化部分の上にあるように位置してもよい。弱化部分７４４は、容器が直立位置にある場合に容器の液面が弱化部分の上にあるか又は同一直線上にあるように位置してもよい。
【００３４】
ここで図８を参照すると、包装材料のリールは図６〜７に示すような弱化部分８４４を備えていてもよい。リールは充填された包装容器を作製するために充填機において用いられてもよい。
【００３５】
ここで図９ａ〜９ｃを参照すると、包装容器は、切断部材が容器の弱化部分を介して間接的に押圧されるように、可撓部分９２０を押圧することによって開封されてもよい。開封プロセスの第１のステップにおいて、可撓部分９２０は、切断部材の上側部品９４８と当接するまで押圧されてもよい。開封プロセスの第２のステップにおいて、可撓部分９２０は、切断部材の切断部品９５０が容器の弱化部分９２０を貫通するように、十分な力で切断部材の上側部品９４８に対して押圧されてもよい。可撓部分９２０は半球形状であってもよい。可撓部分９２０は中空体の長手方向軸と略垂直な方向に及び／又は中空体の第１の部品が取り付けられる第１の側面と略直交する方向に突出してもよい。可撓部分９２０は、可撓部分の屈曲が容易となるように、溝によって囲まれてもよい。
【００３６】
ここで図１０を参照すると、中空体の代替の実施形態は第１の片１０２２と第２の片１０２４とを備えていてもよく、ここで第１の片１０２２の周囲の少なくとも一部は、中空体を形成するために、第２の片１０２４の周囲の少なくとも一部に取り付けられて、取付部を形成している。第１の片１０２２は、第１の片１０２２と容器の第１のセクション及び／又は第２のセクションとの間の接触面積が最大化され、それによって容器の第１のセクション及び／又は第２のセクションへの第１の部品の取付を容易にすることを提供するよう平底を備えていてもよい。第１の片１０２２及び第２の片１０２４のうちの少なくとも１つは、中空体内部の流路が開かれることを提供する少なくとも１つの離間要素１０２６を備えていてもよい。少なくとも１つの離間要素１０２６は中空体の長手方向軸に沿って延在してもよい。ここで、第１の片１０２２及び第２の片１０２４の両方は離間要素を備えている。第１の片１０２２及び第２の片１０２４のうちの少なくとも１つはひだ付部分を備えていてもよい。第１の片１０２２及び第２の片１０２４のうちの少なくとも１つは、切断部材１０３０により容器内に孔が作成され得るように、容器の弱化部分に配置される切断部材１０３０を備えていてもよい。図１０に示す中空体は、概して、図４で説明した中空体と同様の方法で動作して同様の機能を提供することは言うまでもない。更に、図１０に示す中空体の特徴は図４で説明した中空体に適用されてもよく、逆の場合も同様である。
【００３７】
ここで図１１ａ〜１１ｄを参照すると、異なる弱化部分が平面図で示されている。図面は弱化部分の一般的形状を示す役割を果たすだけであり、正確な縮尺で描かれなくてもよいことは言うまでもない。弱化部分は弓形状であってもよい。弱化部分は螺旋形状であってもよい。弱化部分は蛇行形状であってもよい。弱化部分は開口円形状であってもよい。
【００３８】
ここで図１２を参照すると、切断部材１２３０の代替の実施形態が平面図で示されている。中空体の第１の片は隆起部１２５２を備えていてもよい。隆起部１２５２は切断部材１２３０を囲んでいてもよい。
【００３９】
発明を、主に、幾つかの実施形態を参照して上で説明してきた。しかし、当業者によって容易に正しく認識されるように、上で開示したものとは異なる実施形態は、添付の特許請求の範囲によって定義されるように、発明の範囲内で等しく可能である。
【００４０】
一実施例として、図１及び／又は図３ａ〜３ｃの実施形態における包装容器は図２の実施形態による保護要素及び／又は図４、５、１０、１２、又はそれらの任意の組み合わせの実施形態による中空体を備えていてもよい。
【００４１】
別の実施例として、図４及び／又は５の実施形態における中空体は図９ａ〜９ｃ及び／又は図１２の実施形態による切断部材を備えていてもよい。
【００４２】
別の実施例として、図１及び／又は３ａ〜３ｃの実施形態における容器は図６、７、及び図１１ａ〜１１ｄ又はそれらの任意の組み合わせの実施形態による弱化部分を備えていてもよい。
【符号の説明】
【００４３】
１００  包装容器
１０２  容器
１０４  中空体
１０６  第１の部品
１０８  第２の部品
１０９  第３の部品
１１０  第１のセクション
１１２  第２のセクション
１１４  交差点
１１６  取付部
２０２  容器
２０８  第２の部品
２１２  第２のセクション
２１８  保護要素
３０４  中空体
３０８  第２の部品
３１２  第２のセクション
３２０  可撓部分
４２０  可撓部分
４２２  第１の片
４２４  第２の片
４２６  離間要素
４２７  流体出口
４２８  襞付部分
４３０  切断部材
５２２  第１の片
５２４  第２の片
５２６  離間要素
６３２  外側コーティング
６３４  板紙層
６３６  積層
６３８  アルミニウム層
６４０  第１の内面コーティング
６４２  第２の内面コーティング
６４４  弱化部分
７４４  弱化部分
８４４  弱化部分
８４６  リール
９２０  可撓部分
９４８  上側部品
９５０  切断部品
１０２２  第１の片
１０２４  第２の片
１０２６  離間要素
１０３０  切断部材
１２３０  切断部材
１２５２  隆起部
【図１】
2019508334.tif 000003
【図２】
2019508334.tif 000004
【図３ａ】
2019508334.tif 000005
【図３ｂ】
2019508334.tif 000006
【図３ｃ】
2019508334.tif 000007
【図４】
2019508334.tif 000008
【図５】
2019508334.tif 000009
【図６】
2019508334.tif 000010
【図７】
2019508334.tif 000011
【図８】
2019508334.tif 000012
【図９ａ】
2019508334.tif 000013
【図９ｂ】
2019508334.tif 000014
【図９ｃ】
2019508334.tif 000015
【図１０】
2019508334.tif 000016
【図１１ａ】
2019508334.tif 000017
【図１１ｂ】
2019508334.tif 000018
【図１１ｃ】
2019508334.tif 000019
【図１１ｄ】
2019508334.tif 000020
【図１２】
2019508334.tif 000021
【国際調査報告】
2019508334.tif 000022
2019508334.tif 000023